(57)【要約】【課題】穀物調製処理において、実際の収穫量となる玄米量を適切に把握することを可能とする穀物調製設備を提供する。【解決手段】穀物調製設備は、張込み穀物を所定の水分値まで乾燥処理する穀物乾燥機(２)と、乾燥処理された穀物を籾摺処理する籾摺選別機(３)と、籾摺処理された穀物を更に選別して計量袋詰めする米選機(４)と、これら各機器と相互に通信可能に情報接続した作業管理用携帯端末(５)とから構成され、前記穀物乾燥機(２)の張込籾の生産者情報と、張込籾情報と、前記米選機(４)による袋詰め数量とを前記作業管理用携帯端末(５)に乾燥処理単位で一連の表形式に表示することにより、収穫の成果である袋詰め製品の玄米量の適切な把握を可能とするものである。【選択図】図１
2017134653.tif 000002
【特許請求の範囲】
【請求項１】
張込み穀物を所定の水分値まで乾燥処理する穀物乾燥機(２)と、乾燥処理された穀物を籾摺処理する籾摺選別機(３)と、籾摺処理された穀物を更に選別して計量袋詰めする米選機(４)と、これら各機器と相互に通信可能に情報接続した作業管理用携帯端末(５)とからなる穀物調製設備において、
前記穀物乾燥機(２)の張込籾の生産者情報と、張込籾情報と、前記米選機(４)による袋詰め数量とを前記作業管理用携帯端末(５)に乾燥処理単位で一連の表形式に表示することを特徴とする穀物調製設備。
【請求項２】
前記張込籾量情報に基づいて、前記米選機(４)による袋詰めの予測袋数を演算し、籾摺選別作業中に前記作業管理用携帯端末(５)に表示することを特徴とする請求項１記載の穀物調製設備。
【請求項３】
前記張込籾量から換算した玄米量により前記袋数を予測演算することを特徴とする請求項２記載の穀物調製設備。
【請求項４】
前記米選機(４)の計量開始から所定時間について袋詰めした数をカウントして終了までに要する時間を算出する予測作業時間演算手段を備えることを特徴とする請求項２または３に記載の穀物調製設備。
【請求項５】
前記米選機(４)に繰出量調節弁付きの供給タンク(４ａ)を設けて前記籾摺選別機(３)から玄米を受け、前記供給タンク(４ａ)の繰出量と前記米選機(４)の袋詰め量との差を算出する小米量演算手段を備えることを特徴とする請求項２から４のいずれかに記載の穀物調製設備。
【請求項６】
前記米選機(４)による袋詰め数量を所定数の累積毎に前記作業管理用携帯端末(５)から情報配信を受ける管理者用携帯端末(６)を備えることを特徴とする請求項２から５のいずれかに記載の穀物調製設備。
【発明の詳細な説明】
【技術分野】
【０００１】
本発明は、穀物乾燥機、籾摺選別機、米選機等を備え、収穫籾を乾燥、籾摺して選別玄米を計量袋詰めする穀物調製設備に関する。
【背景技術】
【０００２】
特許文献１に示す穀粒乾燥調整加工装置により、穀物乾燥機と籾摺選別機と米選機をそれぞれ無線通信で接続し、運転状況を送信する例が知られており、これにより、工程間の連係調整稼動が可能となる。
また、特許文献２に示す農業支援システムにより、コンバインで収穫した収穫量情報を乾燥機に送信する例が知られており、これによって収穫作業と乾燥作業の連係が可能となる。
このように、各作業状況の情報連係により、それぞれの作業工程を効率よく稼動することが可能となる。
【先行技術文献】
【特許文献】
【０００３】
【特許文献１】特開２０１０−８４９５２号公報
【特許文献２】特開２０１５−９９４３４号公報
【発明の概要】
【発明が解決しようとする課題】
【０００４】
しかしながら、米選機の作動結果である玄米製品として袋詰めした数量は、各作業工程間の連係稼動の結果として最終的に得られる情報であることから、事前に把握することができないという問題があった。
【０００５】
本発明の目的は、穀物調製処理において、収穫成果となる袋詰め製品としての玄米量を適切に把握することを可能とする穀物調製設備を提供することにある。
【課題を解決するための手段】
【０００６】
請求項１係る発明は、張込み穀物を所定の水分値まで乾燥処理する穀物乾燥機(２)と、乾燥処理された穀物を籾摺処理する籾摺選別機(３)と、籾摺処理された穀物を更に選別して計量袋詰めする米選機(４)と、これら各機器と相互に通信可能に情報接続した作業管理用携帯端末(５)とからなる穀物調製設備において、前記穀物乾燥機(２)の張込籾の生産者情報と、張込籾情報と、前記米選機(４)による袋詰め数量とを前記作業管理用携帯端末(５)に乾燥処理単位で一連の表形式に表示することを特徴とする。
【０００７】
請求項２係る発明は、請求項１係る発明において、前記張込籾量情報に基づいて、前記米選機(４)による袋詰めの予測袋数を演算し、籾摺選別作業中に前記作業管理用携帯端末(５)に表示することを特徴とする。
【０００８】
請求項３係る発明は、請求項２に係る発明において、前記張込籾量から換算した玄米量により前記袋数を予測演算することを特徴とすることを特徴とする。
【０００９】
請求項４係る発明は、請求項２または３に係る発明において、前記米選機(４)の計量開始から所定時間について袋詰めした数をカウントして終了までに要する時間を算出する予測作業時間演算手段を備えることを特徴とする。
【００１０】
請求項５係る発明は、請求項２から４のいずれかに係る発明において、前記米選機(４)に繰出量調節弁付きの供給タンク(４ａ)を設けて前記籾摺選別機(３)から玄米を受け、前記供給タンク(４ａ)の繰出量と前記米選機(４)の袋詰め量との差を算出する小米量演算手段を備えることを特徴とする。
【００１１】
請求項６係る発明は、請求項２から５のいずれかに係る発明において、前記米選機(４)による袋詰め数量を所定数の累積毎に前記作業管理用携帯端末(５)から情報配信を受ける管理者用携帯端末(６)を備えることを特徴とする。
【発明の効果】
【００１２】
請求項１に係る発明により、穀物乾燥機(２)の張込籾の生産者情報と、張込籾情報と、袋詰め数量等が、作業管理用携帯端末(５)に乾燥処理単位で一連の表形式で見易く表示され、生産者毎の収穫の成果（玄米量）を３０ｋｇ袋等による袋詰め製品数量で容易に把握することができる。
【００１３】
請求項２に係る発明により、請求項１の効果に加え、表示された予測数量を目安として管理者が作業予測を立てやすくなり、また、作業時間の予測が容易となる。
【００１４】
請求項３に係る発明により、請求項２の効果に加え、張込籾量を換算した玄米量により袋数を予測演算することにより、精度の高い予測袋数を算出できる。
【００１５】
請求項４に係る発明により、請求項２または３の効果に加え、米選機４の計量開始から所定時間について袋詰め数をカウントして終了までに要する時間を算出する予測作業時間演算手段を備えることにより、籾摺選別作業の作業時間を予測することができる。
【００１６】
請求項５に係る発明により、請求項２から４のいずれかの効果に加え、米選機４に繰出量調節弁付きの供給タンク４ａを設けて籾摺選別機３から玄米を受け、供給タンク４ａの繰出量と米選機４の袋詰め量との差を算出する小米量演算手段を備えることにより、小米量を高精度で把握することができる。
【００１７】
請求項６に係る発明により、請求項２から５のいずれかの効果に加え、米選機４による袋詰め数量を所定数の累積毎に作業管理用携帯端末５から情報配信を受ける管理者用携帯端末６を備えることにより、一定作業量（例えば、５０袋）毎に袋詰め数が管理者用携帯端末６に情報配信されることから、袋詰めの経過から管理者が籾摺選別作業を容易に管理することができる。
【図面の簡単な説明】
【００１８】
【図１】穀物調製設備のシステム構成図
【図２】乾燥別処理情報の表示例
【発明を実施するための形態】
【００１９】
上記技術思想に基づいて具体的に構成された実施の形態について、以下に図面を参照しつつ説明する。
【００２０】
穀物調製設備１は、システム構成図を図１に示すように、生産者が収穫した直後の張込み穀物を所定の水分値まで乾燥処理する穀物乾燥機２と、乾燥処理された穀物を籾摺処理する籾摺選別機３と、籾摺処理された穀物を選別して計量袋詰めする米選機４と、これら各機器と相互に各種情報を通信可能に接続したタブレット等の作業管理用携帯端末５および携帯電話等の管理者用携帯端末６と、圃場作物管理支援のための不図示のデータ処理部とによって構成される。
【００２１】
管理用携帯端末５と穀物乾燥機２、籾摺選別機３、米選機４とは近距離用の通信（Bluetooth（登録商標）等）回線を介して接続し、作業時は乾燥調製設備１内に載置し、管理用携帯端末５と管理者用携帯端末６はインターネット回線を介して接続する。
また、穀物乾燥機２から乾燥済みの籾を籾摺選別機３に排出し、籾摺選別機３で選別した玄米を米選機４に供給する構成である。
【００２２】
穀物乾燥機２は、張込穀物（籾）重量を測定する重量計（図示せず）又は、張込容量を測定する張込量センサ（図示せず）を備え、乾燥済みの穀物を籾摺選別機３に排出している時は、重量を減算する。
【００２３】
籾摺選別機は、籾摺する籾摺部１４と籾と玄米を選別する選別部１５を備え、選別部１５で選別した玄米を１番出口１２から排出させるか、機内を循環させるかを切り替える排出循環切換弁（図示せず）を備えている。
【００２４】
米選機４は、上下方向に延びる円筒状の回転選別網４ａで籾すりした玄米から屑米を選別除去した整粒玄米を、計量機１０に載置した袋Ｈに供給し、所定量（例えば３０Kg）に到達すると、自動的に供給を停止する。そしてオペレータは当該袋Ｈを計量機１０から降ろして袋詰めする。袋詰め数は、情報通信によってデータ確認できるように、また、米選機４もデータ通信可能に構成し、収穫面積、穀物量をタブレット等の作業管理用携帯端末５から予め入力できるようにし、乾燥別処理情報の表示例を図２に示すように、処理量（米選機４による袋数、籾摺時間）によって圃場一反あたりの袋数をわかりやすく表示する。
【００２５】
図２について説明すると、複数の穀物乾燥機の穀物情報（水分値・張込重量・乾燥後重量等）と、米選機４で選別された製品重量（整粒玄米量）や製品外重量（屑米重量）が表示される。なお、備考欄又は袋数表示欄に実際にカウントされた袋数を表示する。
【００２６】
選別機構部品等の消耗交換時期については、米選機４による袋数を換算して判りやすくすることができる。すなわち、袋詰めした袋数が設定数（例えば１０００袋）に到達する毎に、回転選別網４ａ等のメンテナンスをする旨を作業管理用携帯端末５に表示するようにしても良い。
【００２７】
籾摺選別作業が終わるまでの予測時間は、籾摺の開始から所定時間、例えば５分間の袋数又は製品重量をカウントして米選機４による能率を換算し、合わせて穀物乾燥機の穀物量から換算して作業管理用携帯端末５に表示する。
【００２８】
籾摺選別作業が開始するとは、本実施の形態においては、例えば、排出循環切換弁を循環側から排出側に切り替え、玄米が１番出口１２から排出可能になった時点にする構成としても良い。また、籾摺選別作業が終了するとは、排出循環切換弁を排出側から循環側に切り替え、玄米が１番出口から常時排出されなくなった時点にする構成としても良い。
【００２９】
籾摺選別機３の１番出口１２から米選機４の供給口１３の間には、繰出量を調節可能なロータリバルブ３ｂ付きのチャージタンク３ａを設ける。ロータリバルブ３ｂの最大繰出量は米選機４の最大能力に合わせ、米選機４に供給する場合は、常にタンク内を充満させてロータリバルブ３ｂの回転により米選機４に供給する。
【００３０】
ロータリバルブ３ｂによる供給量は重量換算し、米選機４によって分離される屑米量を袋詰め玄米量との差として算出することができることから、屑米量の把握により、計量出荷の際の歩留りを容易に把握することができる。また、米選機４の回転選別網４ａの回転数と連動させることで、良好な選別を行うように構成しても良い。
【００３１】
作業管理用携帯端末５の作業一覧画面上には、籾摺ボタン（調整ボタン）を設け、作業一覧より籾摺を行う乾燥終了後の作業を選択し、籾摺ボタンを押し下げることで、籾摺（または選別機）のデータ収集が始まり、製品重量棚に籾摺中（または調整中）のステイタス表示を行い、作業が終了すると製品重量を自動で書き込むように構成することにより、自動でデータ収集が可能となる。
【００３２】
米選機４の作動所要時間は、重量表示が「０」から「１」になった時点からの袋数を換算することにより、作業時間を明確に算出することができる。
【００３３】
また、米選機４の重量表示が増減しなくなった時点でカウントを中止し、重量表示が「０」から「１」になった時点でカウントを開始し、さらに、米選機４のモータ停止時の重量表示増加はカウントせず、モータ起動によって重量表示が「０」から「１」になった時点でカウントを開始することにより、作業時間を明確に算出することができる。
【００３４】
また、米選機４に袋数表示または回転選別網４ａの回転数制御（表示）の機能がある場合は、その変化によってカウントを変更することにより、作業時間を明確に算出することができる。
【００３５】
（別構成例）
次に、ＩＣタグによってデータ連係する別の構成例について説明する。
重量計、水分計を装備した乾燥機で測定したデータとをＩＣタグに記録して米選機４に使用する玄米袋に貼り付けて、米選機４で計量が完了する毎にそのデータを米選機４のコントローラにカウントしていくように構成することにより、トレーサビリティ管理および収穫から出荷までの収量管理が可能となる。
【００３６】
この場合において、米選機４に前記整粒玄米用の水分計１６を装備することで、玄米のみによる高精度の仕上水分値で管理することができるので、計量完了時にＩＣタグにも追加情報として記憶するとともに、圃場作物管理支援の一元管理化データとして活用することにより、トレーサビリティ管理および収穫から出荷までの収量管理とその一元管理化が可能となる。
【００３７】
また、米選機４に屑米量を検知する屑米センサを装備して屑米率を管理できるようにして、計量完了時にＩＣタグにも追加情報として記憶するとともに、圃場作物管理支援の一元管理化データとして活用することにより、トレーサビリティ管理および収穫から出荷までの収量管理とその一元管理化が可能となる。
【００３８】
（技術的意義）
上述の構成による穀物調製設備の技術的意義についてまとめると、次のとおりである。
穀物調製設備１は、乾燥別処理情報の表示例を図２に示すように、穀物乾燥機２の張込籾の生産者情報と、張込籾情報と、袋詰め数量等が、作業管理用携帯端末５に乾燥処理単位で一連の表形式で見易く表示され、生産者毎の収穫の成果（玄米量）を３０ｋｇ袋等による袋詰め製品数量で容易に把握することができる。
【００３９】
また、穀物乾燥機２の張込穀物量情報に基づいて、米選機４による袋詰めの予測袋数を演算し、籾摺選別作業中に作業管理用携帯端末５に表示することにより、表示された予測数量を目安として管理者が作業予測を立てやすくなり、また、作業時間の予測が容易となる。
【００４０】
例を挙げれば、乾燥終了時点の籾の重量が１６００ｋｇで、袋詰め作業開始から５分間で袋詰めされた袋数が５袋（約１５０ｋｇ）で、穀物乾燥機２から排出された籾量が１６０ｋｇであった場合には、残りの籾を袋詰めするのに要する時間は約４５分と演算できる。
【００４１】
また、穀物乾燥機の張込籾量を換算した玄米量により袋数を予測演算することにより、精度の高い予測袋数を算出できる。
【００４２】
また、米選機４の計量開始から所定時間について袋詰め数をカウントして終了までに要する時間を算出する予測作業時間演算手段を備えることにより、籾摺選別作業の作業時間を予測することができる。
【００４３】
また、米選機４に繰出量調節弁付きの供給タンク４ａを設けて籾摺選別機３から玄米を受け、供給タンク４ａの繰出量と米選機４の袋詰め量との差を算出する小米量演算手段を備えることにより、小米量を高精度で把握することができる。
【００４４】
また、米選機４による袋詰め数量を所定数の累積毎に作業管理用携帯端末５から情報配信を受ける管理者用携帯端末６を備えることにより、一定作業量（例えば、５０袋）毎に袋詰め数が管理者用携帯端末６に情報配信される構成にすることで、袋詰めの経過から管理者が籾摺選別作業を容易に管理することができる。
【００４５】
本実施の形態の穀物調製設備の技術的思想について詳述する。
穀物乾燥機２で乾燥済みの籾を籾摺選別機３で籾摺り選別、及び米選機４で米選する作業に要する時間を管理者が予測できることが望ましい。そのため、米選作業開始後の最初の設定時間で袋詰めされた袋数から、袋詰め作業に要する作業時間を予測する。これにより、管理者は収穫時期の作業全体の予定を組みやすくすることができる。
【００４６】
また、管理者にとって、重要なのは、袋詰めされる製品重量（整粒玄米）の量である。そのため、実際に袋詰めされた袋数や整粒玄米を作業管理用携帯端末５に入力することにより、例えば、圃場毎の収量を把握することが可能となり、管理者が当該情報を有効に利用できる。
【符号の説明】
【００４７】
１    穀物調製設備
２    穀物乾燥機
３    籾摺選別機
４    米選機
４ａ  供給タンク
５    作業管理用携帯端末
６    管理者用携帯端末
【図１】
2017134653.tif 000003
【図２】
2017134653.tif 000004